(57)【要約】【課題】遺影やご本尊等を簡易に祀るとともに、携帯用としても使用することができる利便性を有するスタンド式仏壇を提供すること。【解決手段】遺影やご本尊等の祀物を飾るフレーム部１と、フレーム部１を支持するスタンド部２とを備え、フレーム部１をスタンド部２から取り外し可能に設けるとともに、フレーム部１を祀物を内部に収容した状態で折り畳み可能に構成する。【選択図】図１
0003135037.tif 000002
【実用新案登録請求の範囲】
【請求項１】
遺影やご本尊等の祀物を飾るフレーム部と、該フレーム部を支持するスタンド部とを備え、フレーム部をスタンド部から取り外し可能に設けるとともに、フレーム部を祀物を内部に収容した状態で折り畳み可能に構成したことを特徴とするスタンド式仏壇。
【考案の詳細な説明】
【技術分野】
【０００１】
本考案は、スタンド式仏壇に関し、特に、遺影やご本尊等を簡易に祀るとともに、携帯用としても使用することができる利便性を有するスタンド式仏壇に関するものである。
【背景技術】
【０００２】
一般に、故人の供養は仏壇に祀ることにより行われる。
位牌等を安置して先祖を祀る仏壇は、家具のように重厚に作られており、部屋の中に据え置くように設置されている。
【０００３】
しかし、人によっては、例えば旅行等に行った際にも、宿泊先で家にいるときと同様に先祖を祀り、仏壇の前で手を合わして拝みたいと思う場合もある。
このような人にとっては、旅行等にも携帯でき、宿泊先でも容易に先祖を祀れる簡易な携帯用の仏壇があれば便利なものとなる。
【考案の開示】
【考案が解決しようとする課題】
【０００４】
本考案は、上記従来のスタンド式仏壇が有する問題点に鑑み、遺影やご本尊等を簡易に祀るとともに、携帯用としても使用することができる利便性を有するスタンド式仏壇を提供することを目的とする。
【課題を解決するための手段】
【０００５】
上記目的を達成するため、本考案のスタンド式仏壇は、遺影やご本尊等の祀物を飾るフレーム部と、該フレーム部を支持するスタンド部とを備え、フレーム部をスタンド部から取り外し可能に設けるとともに、フレーム部を祀物を内部に収容した状態で折り畳み可能に構成したことを特徴とする。
【考案の効果】
【０００６】
本考案のスタンド式仏壇によれば、遺影やご本尊等の祀物を飾るフレーム部と、該フレーム部を支持するスタンド部とを備え、フレーム部をスタンド部から取り外し可能に設けるとともに、フレーム部を祀物を内部に収容した状態で折り畳み可能に構成したことから、旅行等の宿泊先でも、遺影やご本尊等を簡易に祀れるとともに、携帯用としても使用することができ、利便性を有する。
【考案を実施するための最良の形態】
【０００７】
以下、本考案のスタンド式仏壇の実施の形態を、図面に基づいて説明する。
【実施例１】
【０００８】
図１〜図２に、本考案のスタンド式仏壇の第１実施例を示す。
このスタンド式仏壇は、遺影やご本尊等の祀物（図示省略）を飾るフレーム部１と、該フレーム部１を支持するスタンド部２とを備え、フレーム部１をスタンド部２から取り外し可能に設けるとともに、フレーム部１を祀物を内部に収容した状態で折り畳み可能に構成している。
【０００９】
フレーム部１は、本実施例では、蝶番３により折り畳み可能に構成した２枚の木のプレート１１からなり、般若心経等のご本尊や遺影を飾れるように窪んだ祀物掲示部１２をそれぞれ備えている。
また、一方のプレート１１の祀物掲示部１２の下には、故人の名前等を入れるネームプレート４が設けられている。
なお、本実施例では、フレーム部１は、折り畳んで閉じた際に手のひらくらいの大きさになるようにコンパクトに設けられている。
【００１０】
スタンド部２は、台座２１とテーブル２２の間に引き出し２３を備えるとともに、テーブル２２の後部から背板２４を立設し、この背板２４に、フレーム部１を支持する支持部２５を設けている。
支持部２５は、背板２４の下部から前方に突出する円弧状のブロックからなり、フレーム部１の下部が嵌合する凹部２６を備えている。
【実施例２】
【００１１】
図３に、本考案のスタンド式仏壇の第２実施例を示す。
このスタンド式仏壇は、第１実施例と同様に、遺影やご本尊等の祀物（図示省略）を飾るフレーム部１と、該フレーム部１を支持するスタンド部２とを備え、フレーム部１をスタンド部２から取り外し可能に設けるとともに、フレーム部１を祀物を内部に収容した状態で折り畳み可能に構成している。
【００１２】
フレーム部１は、本実施例では、蝶番３により連結された３枚の木のプレートからなり、中央プレート１１ａに両側の側部プレート１１ｂ、１１ｃが観音開きで折り畳み可能に構成している。
中央プレート１１ａは、遺影やご本尊等の祀物を飾る祀物掲示部１２を有するとともに、両側の側部プレート１１ｂ、１１ｃは、祀物掲示部１２としたり花や線香等を入れる収納兼掲示部１３として使用することができる。
なお、本実施例では、フレーム部１は、折り畳んだ際に縦が３０ｃｍ横が２０ｃｍ程度になるようにコンパクトに設けられている。
【００１３】
スタンド部２は、台座２１の後部から背板２４を立設し、この背板２４の前部にフレーム部１を支持する支持部２５を設けている。
支持部２５はその上部に、フレーム部１の中央プレート１１ａの下部が嵌合する凹部２６を備えるとともに、中央プレート１１ａに嵌め込まれる案内ダボ２７を備えている。
また、支持部２５の前面には、故人の名前等を入れるネームプレート４が設けられている。
【００１４】
かくして、本第１〜第２各実施例のスタンド式仏壇によれば、遺影やご本尊等の祀物を飾るフレーム部１と、該フレーム部１を支持するスタンド部２とを備え、フレーム部１をスタンド部２から取り外し可能に設けるとともに、フレーム部１を祀物を内部に収容した状態で折り畳み可能に構成したことから、旅行等の宿泊先でも、遺影やご本尊等を簡易に祀れるとともに、携帯用としても使用することができ、利便性を有する。
【００１５】
以上、本考案のスタンド式仏壇について、その実施例に基づいて説明したが、本考案は上記実施例に記載した構成に限定されるものではなく、各実施例に記載した構成を適宜組み合わせる等、その趣旨を逸脱しない範囲において適宜その構成を変更することができる。
【産業上の利用可能性】
【００１６】
本考案のスタンド式仏壇は、旅行等の宿泊先でも、遺影やご本尊等を簡易に祀れるとともに、携帯用としても使用できるという特性を有していることから、利便性を有する仏壇として広く好適に用いることができる。
【図面の簡単な説明】
【００１７】
【図１】本考案のスタンド式仏壇の第１実施例を示し、（ａ）は正面図、（ｂ）は平面図、（ｃ）は側面図である。
【図２】同スタンド式仏壇のフレーム部を示し、（ａ）は正面図、（ｂ）は平面図、（ｃ）は折り畳んで閉じた状態の平面図である。
【図３】本考案のスタンド式仏壇の第２実施例を示し、（ａ）は正面図、（ｂ）は平面図、（ｃ）は側面図である。
【符号の説明】
【００１８】
１    フレーム部
１１  プレート
１２  祀物掲示部
１３  収納兼掲示部
２    スタンド部
２１  台座
２２  テーブル
２３  引き出し
２４  背板
２５  支持部
２６  凹部
２７  案内ダボ
３    蝶番
４    ネームプレート
【図１】
0003135037.tif 000003
【図２】
0003135037.tif 000004
【図３】
0003135037.tif 000005